(57)【要約】  ディジタルテレビ番組の予約および表示方法と、セット・トップ・ボックス・デバイスと、ディジタルテレビ視聴システムが提供されており、方法は以下のステップ、つまり、予約済みディジタルテレビ番組の視聴時間前、またはこの時間になると、同時に視聴される複数の予約済みディジタルテレビ番組がユーザに通知されるステップと、予約済みディジタルテレビ番組の視聴時間になると、ユーザによって複数のディジタルテレビ番組から選択されたディジタルテレビ番組が視聴されるステップとを含んでいる。ユーザは同時に視聴される複数の番組を予約でき、予約済み番組の視聴時間前に、最終的に視聴する番組が選択されるということが実現される。
2011510573.tif 000002
【特許請求の範囲】
【請求項１】
ディジタルテレビ（ＤＴＶ）番組の予約および視聴方法であって、
同時に視聴される複数のＤＴＶ番組を示すプロンプトを、予約済みＤＴＶ番組の視聴時間前、またはこの時間になると加入者に表示するステップと、
前記予約済みＤＴＶ番組の視聴時間になると、前記複数のＤＴＶ番組から前記加入者によって選択された１つのＤＴＶ番組を視聴するステップと、
を含む方法。
【請求項２】
同時に視聴される前記複数のＤＴＶ番組を示す前記プロンプトを前記加入者に表示する前に、さらに、
同時に視聴される予約済みＤＴＶ番組数をチェックするステップと、
予約済みＤＴＶ番組が１つだけであるという結果の場合、前記予約済みＤＴＶ番組の視聴時間になると、前記加入者によって予約された前記ＤＴＶ番組をデフォルトで視聴するステップと、
予約済みＤＴＶ番組が２つ以上であるという結果の場合、前記予約済みＤＴＶ番組の視聴時間前、またはこの時間になると、同時に視聴される前記複数のＤＴＶ番組を示すプロンプトを前記加入者に表示するステップとを含む、請求項１に記載のＤＴＶ番組の予約および視聴方法。
【請求項３】
同時に視聴される予約済みＤＴＶ番組数が予約限度を超える場合に、コンフリクトプロンプトを前記加入者に表示するステップをさらに含む、請求項１に記載のＤＴＶ番組の予約および視聴方法。
【請求項４】
同時に視聴される前記予約済みＤＴＶ番組を示す前記コンフリクトプロンプトが番組リストを介して前記加入者に表示され、前記加入者が前記番組リスト中の予約済み番組を入れ替えるか否かを決定できる、請求項３に記載のＤＴＶ番組の予約および視聴方法。
【請求項５】
同時に視聴される前記複数のＤＴＶ番組を示す前記プロンプトが番組リストを介して前記加入者に表示される、請求項１に記載のＤＴＶ番組の予約および視聴方法。
【請求項６】
番組予約ユニットを含むセット・トップ・ボックス（ＳＴＢ）であって、前記番組予約ユニットが、
加入者からのディジタルテレビ（ＤＴＶ）番組の予約リクエストを受信するように適合されている受信モジュールと、
同時に視聴される１つまたは複数の予約済みＤＴＶ番組を示すプロンプトを、前記受信モジュールによって受信された前記予約済みＤＴＶ番組の視聴時間前、またはこの時間になると前記加入者に表示するように適合されているプロンプト表示モジュールと、
前記プロンプト表示モジュールによって表示された前記プロンプトにしたがって前記複数の予約済みＤＴＶ番組から前記加入者によって選択された１つのＤＴＶ番組を、前記予約済みＤＴＶ番組の視聴時間になると視聴するように適合されている視聴モジュールとを備えるＳＴＢ。
【請求項７】
前記視聴モジュールが、
前記加入者によって前記複数の予約済みＤＴＶ番組から選択されたＤＴＶ番組に関する情報を取得するように適合されている取得サブモジュールと、
前記取得サブモジュールによって取得された、前記複数の予約済みＤＴＶ番組から前記加入者によって選択された前記ＤＴＶ番組に関する前記情報にしたがってＤＴＶ番組を視聴するように適合されている視聴サブモジュールとを備える、請求項６に記載のＳＴＢ。
【請求項８】
前記視聴モジュールがさらに、
同時に視聴される予約済みＤＴＶ番組数をチェックし、予約済みＤＴＶ番組が１つだけであるという結果の場合、前記予約済みＤＴＶ番組の視聴時間になると、前記予約済みＤＴＶ番組をデフォルトで直接視聴するように前記視聴サブモジュールに命令し、予約済みＤＴＶ番組が２つ以上であるという結果の場合、前記予約済みＤＴＶ番組の視聴時間になると、またはこの時間の前に、同時に視聴される前記予約済みＤＴＶ番組を示す前記プロンプトを前記加入者に表示するように前記プロンプト表示モジュールに命令するように適合されているチェックサブモジュールを備える、請求項７に記載のＳＴＢ。
【請求項９】
前記プロンプト表示モジュールが、同時に視聴される前記複数の予約済みＤＴＶ番組を示す前記プロンプトを番組リストを介して前記加入者に表示する、請求項６に記載のＳＴＢ。
【請求項１０】
前記受信モジュールが、
前記加入者からの前記ＤＴＶ番組の前記予約リクエストを受信するように適合されている予約リクエスト受信サブモジュールと、
前記予約リクエスト受信サブモジュールによって受信された、同時に視聴される予約済みＤＴＶ番組数が、予約限度を超えているか否かをチェックするように適合されているコンフリクトチェックサブモジュールと、
前記コンフリクトチェックサブモジュールが、同時に視聴される予約済みＤＴＶ番組数が前記予約限度を超えていると検出した場合、コンフリクトプロンプトを前記加入者に表示するように適合されているコンフリクトプロンプト表示サブモジュールと、
前記コンフリクトチェックサブモジュールが、同時に視聴される予約済みＤＴＶ番組数が前記予約限度を超えていないと検出した後、加入者の操作にしたがって、同時に視聴される前記予約済みＤＴＶ番組を決定するように適合されている、予約結果決定サブモジュールとを備える、請求項６に記載のＳＴＢ。
【請求項１１】
ＤＴＶ番組の視聴をコントロールするように適合されているＤＴＶセット・トップ・ボックス（ＳＴＢ）と、前記ＤＴＶ番組を視聴するように適合されている、前記ＤＴＶ  ＳＴＢに接続された端末デバイスとを含むディジタルテレビ（ＤＴＶ）視聴システムであって、
前記ＤＴＶ  ＳＴＢが番組予約ユニットを備えており、前記番組予約ユニットが、
加入者からのＤＴＶ番組予約リクエストを受信するように適合されている受信モジュールと、
前記受信モジュールによって受信された前記予約済みＤＴＶ番組の視聴時間前、またはこの時間になると、同時に視聴される複数のＤＴＶ番組を示すプロンプトを前記加入者に表示するように適合されているプロンプト表示モジュールと、
前記予約済みＤＴＶ番組の視聴時間になると、前記プロンプト表示モジュールによって表示されたプロンプトにしたがって前記加入者によって複数の予約済みＤＴＶ番組から選択されたＤＴＶ番組を視聴するように適合されている視聴モジュールとを含むＤＴＶ視聴システム。
【発明の詳細な説明】
【技術分野】
【０００１】
本発明は通信分野に関し、特に、ディジタルテレビ番組の予約および視聴方法と、セット・トップ・ボックスと、この視聴システムとに関する。
【背景技術】
【０００２】
普及しつつあるディジタルテレビ（ＤＴＶ）によって、多数の加入者はセット・トップ・ボックス（ＳＴＢ）を使用するようになった。アナログテレビと比較して、ＤＴＶはＳＴＢを介してより多くのサービスを提供可能であり、例えば、加入者は、ＤＴＶ番組ガイドによって番組を予約できるようになった。
【０００３】
図１は、従来技術のＤＴＶ番組の予約および視聴方法のフローチャートを示している。具体的には、ＤＴＶ番組の予約および視聴方法は以下のステップを備えている。
【０００４】
ステップＳ１０１：加入者からのＤＴＶ番組の予約リクエストが、ある時点で受信される。
【０００５】
ステップＳ１０２：予約済みＤＴＶ番組と同時に視聴される他のＤＴＶ番組を加入者が予約する場合にはコンフリクトプロンプトが表示され、加入者に、予約済み番組と入れ替えるか否かの判断を促す。
【０００６】
ステップＳ１０３：予約済みＤＴＶ番組を示すプロンプトが、予約済みＤＴＶ番組の視聴時間になる前に表示される。このプロンプトによって加入者は、予約済みＤＴＶ番組を視聴するか否かを決定することができる。
【０００７】
ステップＳ１０４：ユーザによって決定されたＤＴＶ番組は、予約済みＤＴＶ番組の視聴時間になると視聴される。
【０００８】
図２は、従来技術の番組予約インタフェースを示している。チャネルリストが左側に表示され、チャネルリストから選択された番組のチャネルの電子プログラムガイドが右側に表示される。図２に示されているように、例えば、ＣＣＴＶ−１０が選択され、この番組ガイドが右側に列挙される。加入者はチャネルリストと電子番組ガイドを切り替えることができ、また、コントロールデバイス上の機能キーを押して電子プログラムガイドに表示されているプロンプトに反応することによって、所望の番組を予約することができる。
【０００９】
上記のような従来技術によって加入者は、一度に１つの番組を予約することができる。加入者が、同時に視聴される複数の番組を所望する場合、最初に選択された番組以外の別の番組を加入者が予約するたびにコンフリクトプロンプトが表示される。結果として、１つの番組のみが予約可能である。加入者が現在予約されている番組を気に入らない場合、加入者は、予約済み番組の前のチャネルを見つけて、新たな予約をしなければならない。
【発明の概要】
【発明が解決しようとする課題】
【００１０】
従来技術は以下の問題を有している。
【００１１】
チャネル多数の場合、番組予約は複雑かつ不完全であり、動作が面倒である。例えば、家族が異なる時間に番組予約をして、異なる選択をすることもある。したがって、家族は、自分たちの所望の番組が同時に視聴される場合には、面倒なことになる。既に予約した番組と入れ替えるか否かは未決定の問題のままである。したがって、従来技術によっては、複数の加入者は、１台のＤＴＶ  ＳＴＢで複数の同時放送中の番組を予約することはできない。
【課題を解決するための手段】
【００１２】
本発明の実施形態が解決しようとする技術的問題は、加入者が、同時に視聴される複数の番組を予約して、視聴時間前に視聴する番組を１つ選択できるＤＴＶ番組の予約および視聴方法と、ＳＴＢと、ＤＴＶ視聴システムとを提供することである。
【００１３】
技術的問題を解決するために、ＤＴＶ番組の予約および視聴方法が本発明の実施形態で提供されている。方法は以下を含むものである。
【００１４】
予約済みＤＴＶ番組の視聴時間前、またはこの時間になると、同時に視聴される複数のＤＴＶ番組を示すプロンプトを加入者に表示するステップと、
予約済みＤＴＶ番組の視聴時間になると複数のＤＴＶ番組から加入者によって選択されたＤＴＶ番組を視聴するステップ。
【００１５】
さらに、ＳＴＢが本発明の実施形態で提供されている。ＳＴＢは番組予約ユニットを含んでおり、番組予約ユニットは以下を含むものである：
【００１６】
加入者からのＤＴＶ番組の予約リクエストを受信するように適合されている受信モジュールと、
受信モジュールによって受信された予約済みＤＴＶ番組の視聴時間前、またはこの時間になると、同時に視聴される複数のＤＴＶ番組を示すプロンプトを加入者に表示するように適合されているプロンプト表示モジュールと、
予約済みＤＴＶ番組の視聴時間になると、プロンプト表示モジュールによって表示されたプロンプトにしたがって複数のＤＴＶ番組から加入者によって選択されたＤＴＶ番組を視聴するように適合されている視聴モジュール。
【００１７】
ＤＴＶ視聴システムがさらに本発明の実施形態で提供されている。ＤＴＶ視聴システムは以下を含むものである。
【００１８】
ＤＴＶ番組を視聴するように適合されている端末デバイスと、
ＤＴＶ番組を視聴する端末デバイスをコントロールするように適合されているＤＴＶ  ＳＴＢであって、番組予約ユニットを含むＤＴＶ  ＳＴＢであって、番組予約ユニットが以下を含むＤＴＶ  ＳＴＢ：
加入者からのＤＴＶ番組の予約リクエストを受信するように適合されている受信モジュールと、
受信モジュールによって受信された予約済みＤＴＶ番組の視聴時間前、またはこの時間になると、同時に視聴される複数のＤＴＶ番組を示すプロンプトを加入者に表示するように適合されているプロンプト表示モジュールと、
予約済みＤＴＶ番組の視聴時間になると、プロンプト表示モジュールによって表示されたプロンプトにしたがって、複数のＤＴＶ番組から加入者によって選択された１つのＤＴＶ番組を視聴するように適合されている視聴モジュール。
【００１９】
本発明によって加入者は、同時に視聴される複数の番組を予約し、予約済み番組の視聴時間前に視聴する番組を１つ選択することができる。したがって、加入者は、選択を反復することなく、視聴時間前に視聴する番組を１つ選択すればよいため、予約プロセスを最適化および完全化することができる。さらに、本発明によって複数の加入者が、同時に視聴される所望の番組を予約することができ、予約済み番組の視聴時間前に、現在の加入者は、視聴する所望の番組を選択することができる。したがって、複数の加入者が番組を予約することができる。
【００２０】
本発明の実施形態や従来技術の技術的解決法についてさらに詳述するために、本発明の実施形態や従来技術の技術的解決法に関する添付の図面について以下説明する。これらの図面は本発明の実施形態の一部にすぎないことは明らかであり、当業者は、創造的な作業がなくても、これらの図面に基づいた他の図面を取得することができる。
【図面の簡単な説明】
【００２１】
【図１】図１は、従来技術のＤＴＶ番組の予約および視聴方法のフローチャートを示している。
【図２】図２は、従来技術の番組予約インタフェースを示している。
【図３】図３は、本発明の実施形態にしたがったＤＴＶ番組の予約および視聴方法のフローチャートを示している。
【図４】図４は、本発明の実施形態にしたがったＤＴＶ視聴システムの構造を示している。
【図５】図５は、本発明の実施形態にしたがった、図４に示されているＤＴＶ視聴システムに適用可能なＳＴＢの構造を示している。
【図６】図６は、本発明の実施形態にしたがったＤＴＶ視聴システムのＳＴＢの視聴モジュールの構造を示している。
【図７】図７は、本発明の実施形態にしたがったＤＴＶ視聴システムのＳＴＢにおける、ＤＴＶ番組を予約する受信モジュールの構造を示している。
【発明を実施するための形態】
【００２２】
本発明の好ましい実施形態は添付の図面を参照して後述される。添付の図面において、異なる図面間の同一または類似の要素には同一の図面参照符号が付されている。
【００２３】
図３は、本発明の実施形態にしたがったＤＴＶ番組の予約および視聴方法のフローチャートを示している。具体的に、本発明の実施形態で提供されているＤＴＶ番組の予約および視聴方法は以下のステップを備えるものである。
【００２４】
ステップＳ２０１：予約済みＤＴＶ番組の視聴時間前、またはこの時間になると、同時に視聴される複数のＤＴＶ番組を示すプロンプトが加入者に表示される。実施に際して、ＤＴＶ番組は、例えば番組リストの形態で加入者に表示可能である。
【００２５】
ステップＳ２０２：複数の予約済みＤＴＶ番組から加入者によって選択されたＤＴＶ番組が、予約済みＤＴＶ番組の視聴時間になると視聴される。
【００２６】
実際には、加入者は、同時に視聴される１つ以上のＤＴＶ番組を予約することもある点に注目すべきである。したがって、同時に視聴される複数のＤＴＶ番組を示すプロンプトが加入者に表示される前に、本実施形態で提供された方法はさらに以下を備える。
【００２７】
同時に視聴される予約済みＤＴＶ番組数をチェックするステップと、予約済みＤＴＶ番組が１つだけという結果の場合、予約済みＤＴＶ番組の視聴時間になると、このＤＴＶ番組をデフォルトで視聴するステップと、予約済みＤＴＶ番組が２つ以上という結果の場合、予約済みＤＴＶ番組の視聴時間前、またはこの時間になると、複数のＤＴＶ番組を示すプロンプトを加入者に表示するステップ。
【００２８】
加えて、加入者がＤＴＶ番組を予約し、かつ同時に視聴される予約済みＤＴＶ番組数が所定の予約限度を超えている場合、コンフリクトプロンプトや番組リストが表示されて、同時に視聴される予約済みＤＴＶ番組を加入者に通知する。したがって、加入者は、リスト中の予約済み番組を入れ替えるか否かを決定することができるため、同時に視聴される予約済みＤＴＶ番組数を限度内に保つことができる。
【００２９】
本発明の先行実施形態によって加入者は、同時に視聴される複数の番組を予約することができ、予約済みＤＴＶ番組の視聴時間前、またはこの時間になると、視聴する番組を１つ選択することができ、例えば、加入者は、ある時点で視聴する番組を選択可能である。したがって、本発明は、加入者による反復選択を回避する助けとなるため、予約プロセスを簡略化することができる。さらに、本発明によって複数の加入者が、同時に視聴される各自所望の番組を予約することができ、予約済み番組の視聴時間前、またはこの時間になると、現在の加入者らは、視聴する所望の番組を選択することができる。したがって、複数の加入者が番組予約可能である。
【００３０】
図４は、本発明の実施形態にしたがったＤＴＶ視聴システムの構造を示している。
【００３１】
本発明で提供されたＤＴＶ視聴システム１は、
ＤＴＶ番組を視聴するように適合されている端末デバイス１２と、
ＤＴＶ番組を視聴する端末デバイス１２をコントロールするように適合されているＤＴＶ  ＳＴＢ１１とを含む。加えて、図５は、本発明の実施形態にしたがったＤＴＶ視聴システムに適用可能なＤＴＶ  ＳＴＢの構造を示しており、ＤＴＶ  ＳＴＢは番組予約ユニット１００を含んでいる。番組予約ユニット１００は、
加入者からのＤＴＶ番組予約リクエストを受信するように適合されている（図７に示された構造の）受信モジュール１１０と、
予約済みＤＴＶ番組の視聴時間前、またはこの時間になると、同時に視聴される複数のＤＴＶ番組を示すプロンプトを加入者に表示するように適合されているプロンプト表示モジュール１２０と、
予約済みＤＴＶ番組の視聴時間になると、複数のＤＴＶ番組から加入者によって選択されたＤＴＶ番組を１つ視聴するように適合されている視聴モジュール１３０（図６参照）とを含む。
【００３２】
図６は、本発明の実施形態にしたがったＤＴＶ視聴システムのＳＴＢの視聴モジュールの構造を示している。
【００３３】
本実施形態では、ＳＴＢ１１の視聴モジュール１３０は番組予約ユニット１００の機能モジュールであり、
複数の予約済みＤＴＶ番組から加入者によって選択されたＤＴＶ番組に関する情報を取得するように適合されている取得サブモジュール１３１と、
取得サブモジュール１３１によって取得された、複数の予約済みＤＴＶ番組から加入者によって選択されたＤＴＶ番組に関する情報にしたがって対応するＤＴＶ番組を視聴するように適合されている視聴サブモジュール１３２とを含む。
【００３４】
加えて、実施に際して、加入者はＤＴＶ番組１つだけを予約することもある。ゆえに、加入者にプロンプトが表示される必要はない。したがって、本実施形態で提供された視聴モジュール１３０は、さらに、
同時に視聴される予約済みＤＴＶ番組数をチェックし、予約済みＤＴＶ番組は１つだけであるという結果の場合、予約済みＤＴＶ番組の視聴時間になるとこの予約済みＤＴＶ番組をデフォルトで直接視聴するように視聴サブモジュール１３２に命令し、予約済みＤＴＶ番組が２つ以上であるという結果の場合、予約済みＤＴＶ番組の視聴時間になると、またはこの時間の前に、同時に視聴される予約済みＤＴＶ番組を示すプロンプトを加入者に表示するようにプロンプト表示モジュール１２０に命令するように適合されているチェックサブモジュール１３３を含む。
【００３５】
図７は、本発明の実施形態にしたがったＤＴＶ視聴システムのＳＴＢにおけるＤＴＶ番組を予約する受信モジュールの構造を示している。
【００３６】
本実施形態では、ＳＴＢの受信モジュール１１０は番組予約ユニット１００の機能モジュールであり、
加入者からのＤＴＶ番組の予約リクエストを受信するように適合されている予約リクエスト受信サブモジュール１１１と、
予約リクエスト受信サブモジュール１１によって受信された、同時に視聴される予約済みＤＴＶ番組数が予約限度を超えているか否かをチェックするように適合されているコンフリクトチェックサブモジュール１１２と、
コンフリクトチェックサブモジュール１１２が、同時に視聴される予約済みＤＴＶ番組数が予約限度を超えていると検出した場合に、コンフリクトプロンプトを加入者に表示するように適合されているコンフリクトプロンプト表示サブモジュール１１３と、
コンフリクトチェックサブモジュール１１２が、同時に視聴される予約済みＤＴＶ番組数が予約限度を超えていないと検出した後に、加入者の操作にしたがって同時に視聴される予約済みＤＴＶ番組を決定するように適合されている予約結果決定サブモジュール１１４とを含む。
【００３７】
本発明の先行実施形態によると、受信モジュール１１０は、同時に視聴される複数の番組の予約リクエストを加入者から受信可能である。視聴時間になると、またはこの時間の前に、プロンプト表示モジュール１２０はプロンプトを表示して、加入者は、視聴する番組を１つ選択することができる。したがって、加入者は反復選択の必要がないため、予約プロセスを簡略化することができる。さらに、本発明によって複数の加入者が、同時に視聴される所望の番組を予約することができ、予約済み番組の視聴時間前、またはこの時間になると、現在の加入者は、視聴する所望の番組を選択することができる。したがって、複数の加入者が番組を予約可能である。
【００３８】
予約プロセスについて以下詳述する。
【００３９】
例えば、加入者はＴＶガイドインタフェースによって番組を予約可能である。加入者が、２００７年５月１９日１８時の次の番組を予約したとする。
【００４０】
【表１】
2011510573.tif 000003
【００４１】
受信モジュール１１０は、これらのＤＴＶ番組の予約リクエストすべてを受信し、コンフリクトプロンプト表示サブモジュール１１３はコンフリクトプロンプトを表示しない。特定の状況下では、コンフリクトプロンプト表示サブモジュール１１３は、同時に視聴される予約済みＤＴＶ番組数が予約限度を超えている場合に、コンフリクトプロンプトを加入者に表示する。本実施形態では、同時に視聴される予約済みＤＴＶ番組数が予約限度内であるとする。
【００４２】
２００７年５月２０日１８時、加入者は予約管理インタフェースを介して次の番組を視聴可能である。
【００４３】
【表２】
2011510573.tif 000004
【００４４】
つまり、ＤＴＶ番組すべてが予約された後、加入者は、視聴時間前にこれらの番組を予約管理インタフェースで視聴可能である。予約済み番組は、前の表に示されているように表示可能である。
【００４５】
予約済み番組の視聴時間、つまり２００７年５月２０日１９時になると、このシステムは、Ｎｅｗｓ  ＢｒｏａｄｃａｓｔおよびＩｎｔｅｒｎａｌ  ＮｅｗｓがＣＣＴＶ−１およびＰｈｏｅｎｉｘ  Ｃｈｉｎｅｓｅ  Ｃｈａｎｎｅｌでそれぞれ間もなく視聴開始であると検出する。したがって、プロンプト表示モジュール１２０は次のプロンプトを表示する：
【００４６】
【表３】
2011510573.tif 000005
【００４７】
番組の視聴時間前、またはこの時間になるとプロンプトが表示可能である点に注目する。視聴時間前にプロンプトを表示する時間は、例えば、視聴時間の数分前または数秒前に事前設定可能である。これによって加入者は、どの番組を見るかを決定して、キーを押すことができる。
【００４８】
加えて、第１の番組はデフォルトでインタフェースで強調され、操作ガイドがインタフェースのボタンに表示される。ＤＴＶ  ＳＴＢ１１対応のリモートコントローラ、キーボードまたはパネルなどのコントロールデバイス上のキー、例えば上／下または左／右キーを押して、色つきカーソルを移動させることによって、加入者は、視聴するＤＴＶ番組を１つ選択することができ、最終的に、リモートコントローラ、キーボードまたはパネルなどのコントロールデバイスのはい／確認／ＯＫキーを押すことによって、視聴するＤＴＶ番組を決定することができる。
【００４９】
結果として、本発明の実施形態で提供されたＤＴＶ番組の予約および視聴方法、ＳＴＢおよび視聴システムによって加入者は、同時に視聴される複数の番組を予約し、予約済み番組の視聴時間前に視聴する番組を１つ選択することができる。したがって、加入者は、反復選択することなく、視聴時間前に視聴する番組を選択するため、予約プロセスを最適化および完全化することができる。さらに、本発明によって、複数の加入者が、同時に視聴される所望の番組を予約することができ、予約番組の視聴時間前に、現在の加入者は、視聴する所望の番組を選択することができる。したがって、複数の加入者が番組予約可能である。
【００５０】
先行実施形態のフローチャートの全部または一部が、プログラムによって命令されたハードウェアによって実行可能である点が当業者によって理解可能である。プログラムはコンピュータ可読記憶媒体に記憶可能である。プログラムが実行中、先行実施形態で提供された方法のフローチャートもまた実行中である。記憶媒体は、ディスク、光ディスク、リード・オンリー・メモリ（ＲＯＭ）、ランダム・アクセス・メモリ（ＲＡＭ）などであってもよい。
【００５１】
本発明の例示的実施形態のみが上述されているが、本発明の保護範囲を制限する意図はない。本発明の技術的範囲から逸脱することなく当業者によってなされた種々の修正や置換は、添付の請求項によって定義されるように、本発明の保護範囲内にある。
【図１】
2011510573.tif 000006
【図２】
2011510573.tif 000007
【図３】
2011510573.tif 000008
【図４】
2011510573.tif 000009
【図５】
2011510573.tif 000010
【図６】
2011510573.tif 000011
【図７】
2011510573.tif 000012
【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
ディジタルテレビ（ＤＴＶ）番組の予約および視聴方法であって、
同時に視聴される複数のＤＴＶ番組を示すプロンプトを、予約済みＤＴＶ番組の視聴時間前、またはこの時間になると加入者に表示するステップと、
前記予約済みＤＴＶ番組の視聴時間になると、前記複数のＤＴＶ番組から前記加入者によって選択された１つのＤＴＶ番組を視聴するステップと、
を含む方法。
【請求項２】
同時に視聴される前記複数のＤＴＶ番組を示す前記プロンプトを前記加入者に表示する前に、さらに、
同時に視聴される予約済みＤＴＶ番組数をチェックするステップを含み、
前記同時に視聴される複数のＤＴＶ番組を示すプロンプトを加入者に表示するステップは、
予約済みＤＴＶ番組が１つだけであるという結果の場合、前記予約済みＤＴＶ番組の視聴時間になると、前記加入者によって予約された前記ＤＴＶ番組をデフォルトで視聴するステップと、
予約済みＤＴＶ番組が２つ以上であるという結果の場合、前記予約済みＤＴＶ番組の視聴時間前、またはこの時間になると、同時に視聴される前記複数のＤＴＶ番組を示すプロンプトを前記加入者に表示するステップとを含む、請求項１に記載のＤＴＶ番組の予約および視聴方法。
【請求項３】
同時に視聴される予約済みＤＴＶ番組数が予約限度を超える場合に、コンフリクトプロンプトを前記加入者に表示するステップをさらに含む、請求項１に記載のＤＴＶ番組の予約および視聴方法。
【請求項４】
同時に視聴される前記予約済みＤＴＶ番組を示す前記コンフリクトプロンプトが番組リストを介して前記加入者に表示され、前記加入者が前記番組リスト中の予約済み番組を入れ替えるか否かを決定できる、請求項３に記載のＤＴＶ番組の予約および視聴方法。
【請求項５】
同時に視聴される前記複数のＤＴＶ番組を示す前記プロンプトが番組リストを介して前記加入者に表示される、請求項１に記載のＤＴＶ番組の予約および視聴方法。
【請求項６】
番組予約ユニットを含むセット・トップ・ボックス（ＳＴＢ）であって、前記番組予約ユニットが、
加入者からのディジタルテレビ（ＤＴＶ）番組の予約リクエストを受信するように適合されている受信モジュールと、
同時に視聴される１つまたは複数の予約済みＤＴＶ番組を示すプロンプトを、前記受信モジュールによって受信された前記予約済みＤＴＶ番組の視聴時間前、またはこの時間になると前記加入者に表示するように適合されているプロンプト表示モジュールと、
前記プロンプト表示モジュールによって表示された前記プロンプトにしたがって前記複数の予約済みＤＴＶ番組から前記加入者によって選択された１つのＤＴＶ番組を、前記予約済みＤＴＶ番組の視聴時間になると視聴するように適合されている視聴モジュールとを備えるＳＴＢ。
【請求項７】
前記視聴モジュールが、
前記加入者によって前記複数の予約済みＤＴＶ番組から選択されたＤＴＶ番組に関する情報を取得するように適合されている取得サブモジュールと、
前記取得サブモジュールによって取得された、前記複数の予約済みＤＴＶ番組から前記加入者によって選択された前記ＤＴＶ番組に関する前記情報にしたがってＤＴＶ番組を視聴するように適合されている視聴サブモジュールとを備える、請求項６に記載のＳＴＢ。
【請求項８】
前記視聴モジュールがさらに、
同時に視聴される予約済みＤＴＶ番組数をチェックし、予約済みＤＴＶ番組が１つだけであるという結果の場合、前記予約済みＤＴＶ番組の視聴時間になると、前記予約済みＤＴＶ番組をデフォルトで直接視聴するように前記視聴サブモジュールに命令し、予約済みＤＴＶ番組が２つ以上であるという結果の場合、前記予約済みＤＴＶ番組の視聴時間になると、またはこの時間の前に、同時に視聴される前記予約済みＤＴＶ番組を示す前記プロンプトを前記加入者に表示するように前記プロンプト表示モジュールに命令するように適合されているチェックサブモジュールを備える、請求項７に記載のＳＴＢ。
【請求項９】
前記プロンプト表示モジュールが、同時に視聴される前記複数の予約済みＤＴＶ番組を示す前記プロンプトを番組リストを介して前記加入者に表示する、請求項６に記載のＳＴＢ。
【請求項１０】
前記受信モジュールが、
前記加入者からの前記ＤＴＶ番組の前記予約リクエストを受信するように適合されている予約リクエスト受信サブモジュールと、
前記予約リクエスト受信サブモジュールによって受信された、同時に視聴される予約済みＤＴＶ番組数が、予約限度を超えているか否かをチェックするように適合されているコンフリクトチェックサブモジュールと、
前記コンフリクトチェックサブモジュールが、同時に視聴される予約済みＤＴＶ番組数が前記予約限度を超えていると検出した場合、コンフリクトプロンプトを前記加入者に表示するように適合されているコンフリクトプロンプト表示サブモジュールと、
前記コンフリクトチェックサブモジュールが、同時に視聴される予約済みＤＴＶ番組数が前記予約限度を超えていないと検出した後、加入者の操作にしたがって、同時に視聴される前記予約済みＤＴＶ番組を決定するように適合されている、予約結果決定サブモジュールとを備える、請求項６に記載のＳＴＢ。
【請求項１１】
ＤＴＶ番組の視聴をコントロールするように適合されているＤＴＶセット・トップ・ボックス（ＳＴＢ）と、前記ＤＴＶ番組を視聴するように適合されている、前記ＤＴＶ  ＳＴＢに接続された端末デバイスとを含むディジタルテレビ（ＤＴＶ）視聴システムであって、
前記ＤＴＶ  ＳＴＢが番組予約ユニットを備えており、前記番組予約ユニットが、
加入者からのＤＴＶ番組予約リクエストを受信するように適合されている受信モジュールと、
前記受信モジュールによって受信された前記予約済みＤＴＶ番組の視聴時間前、またはこの時間になると、同時に視聴される複数のＤＴＶ番組を示すプロンプトを前記加入者に表示するように適合されているプロンプト表示モジュールと、
前記予約済みＤＴＶ番組の視聴時間になると、前記プロンプト表示モジュールによって表示されたプロンプトにしたがって前記加入者によって複数の予約済みＤＴＶ番組から選択されたＤＴＶ番組を視聴するように適合されている視聴モジュールとを含むＤＴＶ視聴システム。
【国際調査報告】
2011510573.tif 000013
2011510573.tif 000014
2011510573.tif 000015
2011510573.tif 000016